(57)【特許請求の範囲】
【請求項１】
電力の供給源である第１部品と前記第１部品から前記電力の供給を受けて駆動する第２部品とが離れた状態で搭載された基材であって、前記第１部品と前記第２部品とを電気配線で結ぶ配線部を有する基材と、
前記第１部品、前記第２部品及び前記配線部を覆う外装部と、
を備え、
前記外装部は、前記第１部品の少なくとも一部を覆う第１外装部分と、前記配線部の少なくとも一部を覆う第２外装部分とを含み、
前記第１外装部分の厚さと前記第２外装部分の厚さとが異なり、
前記第１外装部分と前記第２外装部分との境界部分に段差が形成されており、
前記第２外装部分の厚さが前記第１外装部分の厚さよりも厚く、
前記第１外装部分の厚さｔ、前記第１外装部分に加わる外力Ｆ及び前記第１外装部分の引き裂きエネルギーＧｃが、ｔ＜２Ｆ／Ｇｃを満たし、
前記基材及び前記外装部の少なくとも一方を固定する固定力が前記外力Ｆ以上であることを特徴とする電子機器。
【請求項２】
前記第１外装部分の側面に、前記第１外装部分と前記第２外装部分との境界部分に隣接する第１ノッチが形成されていることを特徴とする請求項１に記載の電子機器。
【請求項３】
前記基材は、前記第１部品及び前記第２部品が搭載された第１面と、前記第１面の反対側の第２面とを有し、
前記第２面に第１溝が形成され、
前記第１外装部分と前記第２外装部分との境界部分の少なくとも一部が、前記第１溝と平面視で重なることを特徴とする請求項１又は２に記載の電子機器。
【請求項４】
前記第２外装部分の厚さが前記第１外装部分の厚さよりも厚く、
前記第２外装部分が平面視で四角形であり、四角形の少なくとも一辺の中点を通るように第２ノッチが前記第２外装部分の側面に形成されていることを特徴とする請求項１から３の何れか一項に記載の電子機器。
【請求項５】
前記第２外装部分の厚さが前記第１外装部分の厚さよりも厚く、
前記第２外装部分が平面視で四角形であり、四角形の少なくとも一組の対辺の中点どうしを結ぶように第２溝が前記第２外装部分に形成されていることを特徴とする請求項１から４の何れか一項に記載の電子機器。
【請求項６】
前記外装部は、前記第２部品の一部を覆う第３外装部分を更に含み、
前記第２外装部分の厚さと前記第３外装部分の厚さとが異なり、
前記第２外装部分と前記第３外装部分との境界部分に段差が形成されていることを特徴とする請求項１から５の何れか一項に記載の電子機器。
【請求項７】
前記第１外装部分が、平面視で前記基材の外周部分を覆い、
前記第２外装部分が、平面視で前記基材の前記外周部分よりも内側の部分を覆うことを特徴とする請求項１から５の何れか一項に記載の電子機器。
【請求項８】
前記外装部は、前記第２部品の少なくとも一部及び前記配線部の一部を覆う第４外装部分を更に含み、
前記第２外装部分の厚さと前記第４外装部分の厚さとが異なり、
前記第２外装部分と前記第４外装部分との境界部分に段差が形成されていることを特徴とする請求項１から５の何れか一項に記載の電子機器。
【請求項９】
前記第１外装部分は、前記第１部品の少なくとも一部を覆うと共に前記配線部の第１部分を覆い、
前記第２外装部分は、前記第２部品の少なくとも一部を覆うと共に前記配線部の第２部分を覆い、
前記第１外装部分と前記第２外装部分との境界部分が、前記配線部の一部と平面視で重なることを特徴とする請求項１から８の何れか一項に記載の電子機器。
【請求項１０】
電力の供給源である第１部品と前記第１部品から前記電力の供給を受けて駆動する第２部品とが離れた状態で搭載された基材であって、前記第１部品と前記第２部品とを電気配線で結ぶ配線部を有する基材と、
前記第１部品、前記第２部品及び前記配線部を覆う外装部と、
を備え、
前記外装部は、前記第１部品の少なくとも一部を覆う第１外装部分と、前記配線部の少なくとも一部を覆う第２外装部分とを含み、
前記第１外装部分の厚さと前記第２外装部分の厚さとが異なり、
前記第１外装部分と前記第２外装部分との境界部分に段差が形成されており、
前記第２外装部分の厚さが前記第１外装部分の厚さよりも厚く、
前記第１外装部分の厚さｔ、前記第１外装部分に加わる外力Ｆ及び前記第１外装部分の引き裂きエネルギーＧｃが、ｔ＜２Ｆ／Ｇｃを満たし、
前記基材及び前記外装部の少なくとも一方を固定する固定力が前記外力Ｆ以上であることを特徴とするビーコン。
【発明の詳細な説明】
【技術分野】
【０００１】
本発明は、電子機器及びビーコンに関する。
【背景技術】
【０００２】
ビーコンは、無線標識とも呼ばれる情報（ビーコン信号）を発信する無線通信機器であり、この情報を受信機器で受信することができる。ビーコンは、駅やショッピングモール等の施設で利用される。受信機器がビーコンの通信可能な範囲に存在すると、無線を通じて受信機器は情報を受信することができる。これにより、例えば、駅の改札や店舗等の目的地への誘導、店舗の情報配信等のサービスを、受信機器を持つユーザに提供することができる。
【０００３】
ビーコンの材料にエラストマを用いることで、フレキシブルで設置位置を問わないビーコンを実現できる。例えば、エラストマの一例であるシリコーンゴムは、高い耐候性を有する。また、ビーコンの電源として太陽電池を用いることで、メンテナンスが不要なビーコンを実現できる。これらの耐候性及びメンテナンスフリーという特徴を利用して、ビーコンの設置後、寿命を迎えるまで、取り外しを行うことなくビーコンを使用することができる。
【先行技術文献】
【特許文献】
【０００４】
【特許文献１】特開２００５−２２７８１８号公報
【特許文献２】特開２０１４−１６０１７４号公報
【発明の概要】
【発明が解決しようとする課題】
【０００５】
ビーコンの盗難や設置位置を変える等の悪戯が懸念されている。ビーコンが盗難されたり、ビーコンの設置位置が変えられたりすることを抑止するため、ビーコンが設置位置から取り外された際に、ビーコンが破壊されることが求められている。
【０００６】
本願は、上記の課題に鑑みてなされたものであり、破壊が容易な電子機器を提供することを目的とする。
【課題を解決するための手段】
【０００７】
本願の一観点によれば、第１部品と第２部品とが離れた状態で搭載された基材であって、前記第１部品と前記第２部品とを電気配線で結ぶ配線部を有する基材と、前記第１部品、前記第２部品及び前記配線部を覆う外装部と、を備え、前記外装部は、前記第１部品の少なくとも一部を覆う第１外装部分と、前記配線部の少なくとも一部を覆う第２外装部分とを含み、前記第１外装部分の厚さと前記第２外装部分の厚さとが異なり、前記第１外装部分と前記第２外装部分との境界部分に段差が形成されている、電子機器が提供される。
【発明の効果】
【０００８】
本願によれば、破壊が容易な電子機器を提供することができる。
【図面の簡単な説明】
【０００９】
【図１Ａ】図１Ａは、ビーコンの平面図である。
【図１Ｂ】図１Ｂは、ビーコンの断面図である。
【図１Ｃ】図１Ｃは、ビーコンの断面図である。
【図２Ａ】図２Ａは、ビーコンの使用方法の一例を示す図である。
【図２Ｂ】図２Ｂは、ビーコンの使用方法の一例を示す図である。
【図２Ｃ】図２Ｃは、ビーコンの使用方法の一例を示す図である。
【図３Ａ】図３Ａは、ビーコンの斜視図である。
【図３Ｂ】図３Ｂは、ビーコンの側面図である。
【図４Ａ】図４Ａは、ビーコンの斜視図である。
【図４Ｂ】図４Ｂは、ビーコンの側面図である。
【図５】図５は、ビーコンの断面図である。
【図６Ａ】図６Ａは、ビーコンの斜視図である。
【図６Ｂ】図６Ｂは、ビーコンの側面図である。
【図７Ａ】図７Ａは、ビーコンの側面図である。
【図７Ｂ】図７Ｂは、ビーコンの拡大斜視図である。
【図７Ｃ】図７Ｃは、ビーコンの拡大斜視図である。
【図８】図８は、ビーコンの斜視図である。
【図９】図９は、外装部の伸び量の説明図である。
【図１０Ａ】図１０Ａは、ビーコンの斜視図である。
【図１０Ｂ】図１０Ｂは、ビーコンの斜視図である。
【図１１Ａ】図１１Ａは、ビーコンの平面図である。
【図１１Ｂ】図１１Ｂは、ビーコンの断面図である。
【図１２Ａ】図１２Ａは、ビーコンの平面図である。
【図１２Ｂ】図１２Ｂは、ビーコンの断面図である。
【図１２Ｃ】図１２Ｃは、ビーコンの断面図である。
【図１３Ａ】図１３Ａは、ビーコンの平面図である。
【図１３Ｂ】図１３Ｂは、ビーコンの断面図である。
【図１４Ａ】図１４Ａは、ビーコンの平面図である。
【図１４Ｂ】図１４Ｂは、ビーコンの側面図である。
【図１５Ａ】図１５Ａは、ビーコンの平面図である。
【図１５Ｂ】図１５Ｂは、ビーコンの側面図である。
【図１６】図１６は、材料にかかる応力の説明図である。
【発明を実施するための形態】
【００１０】
以下、図面を参照して、実施形態を詳細に説明する。以下の各実施形態の構成は例示であり、本発明は、各実施形態の構成に限定されない。
【００１１】
〈第１実施形態〉
第１実施形態について説明する。図１Ａは、ビーコン１の平面図である。図１Ｂは、ビーコン１の断面図であり、図１Ａの一点鎖線Ａ−Ａに沿った断面を示している。図１Ｃは、ビーコン１の断面図であり、図１Ｂの一点鎖線Ｂ−Ｂに沿った断面を示している。ビーコン１は、ビーコン信号を発信する無線通信機器である。ビーコン１は、電子機器の一例である。ビーコン１は、基材２と、基材２の上面に搭載された電子部品３，４と、電子部品３と電子部品４との間に配置された配線部（配線パターン）５と、基材２、電子部品３，４及び配線部５を覆う外装材６とを備える。電子部品３は、第１部品の一例である。電子部品４は、第２部品の一例である。外装材６は、外装部の一例である。基材２及び外装材６の各材料は、エラストマである。エラストマの例として、シリコーンゴム、フッ素ゴム、ウレタンゴム、アクリルゴム、ブチルゴム、ブタジエンゴム、クロロブレンゴム及び天然ゴム等が挙げられる。基材２及び外装材６の材料にエラストマを用いることにより、フレキシブルで設置位置を問わないビーコン１を実現できる。
【００１２】
電子部品３と電子部品４とが離れた状態で基材２に搭載されている。電子部品３は、電子部品４に電力を供給する。電子部品３は、太陽電池等の発電源であってもよいし、一次
電池、二次電池等の電源であってもよい。電子部品４は、アンテナ、配線及び制御部等を含む。電子部品４は、アンテナ、配線及び制御部等を有する電子モジュールであってもよい。制御部は、例えば、ＩＣ（Integrated Circuit）チップ、ＬＳＩ（Large Scale Integration）チップ等である。電子部品４は、電子部品３から電力の供給を受けて駆動し、
アンテナを介してビーコン信号を送信する。
【００１３】
配線部５は、電子部品３と電子部品４とを電気配線で結ぶ。配線部５を介して、電子部品３から電子部品４に電力が供給される。基材２上にエラストマ系導電性ペーストを形成することにより、基材２上に配線部５を設けてもよい。導電性ペーストは、金属粒子と樹脂材料との混合物である。金属粒子の例として、銅（Ｃｕ）、金（Ａｕ）、銀（Ａｇ）、Ｐｄ（パラジウム）、Ｎｉ（ニッケル）、錫（Ｓｎ）等が挙げられる。樹脂材料の例として、エポキシ樹脂、ポリイミド樹脂等が挙げられる。基材２上に銅箔を形成することにより、基材２上に配線部５を設けてもよい。
【００１４】
図２Ａ〜図２Ｃは、ビーコン１の使用方法の一例を示す図である。図２Ａに示すように、ビーコン１は、固定部材１１を介して対象物２０の平面２１に貼り付けられている。固定部材１１は、例えば、接着剤又は粘着剤である。基材２と対象物２０とを固定部材１１により接着して、ビーコン１を対象物２０に固定してもよい。外装材６と対象物２０とを固定部材１１により接着して、ビーコン１を対象物２０に固定してもよい。基材２と対象物２０とを固定部材１１により接着すると共に、外装材６と対象物２０とを固定部材１１により接着して、ビーコン１を対象物２０に固定してもよい。
【００１５】
図２Ｂに示すように、ビーコン１は、固定部材１１を介して対象物２２の曲面２３に貼り付けられている。ビーコン１は、可撓性を有するため、対象物２２の曲面２３への貼り付けが可能である。図２Ｃに示すように、ビーコン１は、固定部材１１を介してバンド２４に貼り付けられている。ビーコン１をバンド２４に貼り付けることにより、ビーコン１をウェアラブル機器に適用することができる。ビーコン１が貼り付けられたウェアラブル機器を対象物に取り付けてもよい。また、ビーコン１を布等のフレキシブル素材に貼り付けてもよい。
【００１６】
図３Ａは、ビーコン１の斜視図であり、図３Ｂは、ビーコン１の側面図である。外装材６は、第１外装部分３１及び第２外装部分３２を含む。第１外装部分３１の厚さと第２外装部分３２の厚さとが異なっており、第２外装部分３２の厚さは、第１外装部分３１の厚さよりも厚い。そのため、第１外装部分３１と第２外装部分３２との境界部分に段差が形成されている。第１外装部分３１の剛性（第１外装部分３１のヤング率×断面積）は、第２外装部分３２の剛性（第２外装部分３２のヤング率×断面積）よりも小さい。第１外装部分３１の剛性が相対的に小さいので、第１外装部分３１は、第２外装部分３２よりも変形しやすい。第２外装部分３２の剛性が相対的に大きいので、第２外装部分３２は、第１外装部分３１よりも変形しにくい。
【００１７】
図４Ａは、ビーコン１の斜視図であり、図４Ｂは、ビーコン１の側面図である。図４Ａ及び図４Ｂは、第１外装部分３１に−Ｚ方向の外力Ｆが加わった場合のビーコン１の状態が示されている。図４Ａ及び図４Ｂに示す例では、−Ｚ方向は、ビーコン１の長手方向と直交する方向であって、基材２の下面が向いている方向である。基材２の下面は、基材２の上面の反対側の面である。第１外装部分３１と第２外装部分３２との境界部分に段差が形成されている。そのため、第１外装部分３１に−Ｚ方向の外力Ｆが加わった場合、図４Ｂに示すように、第１外装部分３１と第２外装部分３２との境界部分でビーコン１が−Ｚ方向に折れ曲がる。これにより、外装材６に引張応力が発生し、外装材６の凹部４１に応力が集中する。その結果、外装材６の凹部４１を起点として、第１外装部分３１と第２外装部分３２との境界部分から引き裂きが始まり、ビーコン１が破壊される。
【００１８】
また、第２外装部分３２に−Ｚ方向の外力Ｆが加わった場合においても、第１外装部分３１と第２外装部分３２との境界部分でビーコン１が−Ｚ方向に折れ曲がる。これにより、外装材６に引張応力が発生し、外装材６の凹部４１に応力が集中する。その結果、外装材６の凹部４１を起点として、第１外装部分３１と第２外装部分３２との境界部分から引き裂きが始まり、ビーコン１が破壊される。
【００１９】
図５は、ビーコン１の断面図である。第１外装部分３１が、電子部品３を覆うと共に配線部５の一部を覆い、第２外装部分３２が、電子部品４を覆うと共に配線部５の一部を覆っている。図５に示すように、第１外装部分３１と第２外装部分３２との境界部分が配線部５上に位置しているので、第１外装部分３１と第２外装部分３２との境界部分から引き裂きが始まった際に、配線部５が破壊され易くなる。エラストマ系導電性ペースト又は銅箔を用いて、基板２上に配線部５を形成した場合、電子部品３，４と比較して、配線部５の破壊が容易である。
【００２０】
図６Ａは、ビーコン１の斜視図である。図６Ａに示すように、ビーコン１は、一つ又は複数のノッチ（スリット）５１を有する。ノッチ５１は、Ｖ字形、Ｕ字形等の切欠きである。ノッチ５１は、第１ノッチの一例である。図６Ｂは、ビーコン１の側面図である。図６Ｂは、第１外装部分３１に−Ｙ方向の外力Ｆが加わった場合のビーコン１の状態が示されている。図６Ａ及び図６Ｂに示す例では、−Ｙ方向は、ビーコン１の短手方向である。ビーコン１の短手方向は、ビーコン１の長手方向と同一平面方向であって、ビーコン１の長手方向と直交する方向である。第１外装部分３１と第２外装部分３２との境界部分に段差が形成されている。そのため、第１外装部分３１に−Ｙ方向の外力Ｆが加わった場合、図６Ｂに示すように、第１外装部分３１と第２外装部分３２との境界部分からビーコン１の角部に沿ってビーコン１が折れ曲がる。これにより、外装材６の凹部４１に応力が集中すると共に、ノッチ５１の先端に応力が集中する。その結果、ノッチ５１の先端から引き裂きが始まり、ビーコン１が破壊される。
【００２１】
第１外装部分３１に＋Ｙ方向の外力Ｆが加わった場合についても、ノッチ５１の先端から引き裂きが始まり、ビーコン１が破壊される。図６Ａ及び図６Ｂに示す例では、＋Ｙ方向は、ビーコン１の短手方向である。第２外装部分３２に＋Ｙ方向又は−Ｙ方向の外力Ｆが加わった場合についても、ノッチ５１の先端から引き裂きが始まり、ビーコン１が破壊される。また、ビーコン１がノッチ５１を有しない場合も、外装材６の凹部４１を起点として、第１外装部分３１と第２外装部分３２との境界部分から引き裂きが始まり、ビーコン１が破壊される。ビーコン１がノッチ５１を有する場合、ノッチ５１の先端に応力が集中するため、ビーコン１がより破壊され易い。
【００２２】
図７Ａは、ビーコン１の側面図である。図７Ａに示すように、ノッチ５１は、第１外装部分３１の側面に形成されていると共に、基材２の側面に形成されている。第１外装部分３１の側面は、第１外装部分３１の下面と直交する面である。第１外装部分３１の下面は、基材２の上面と接触している。基材２の側面は、基材２の上面と直交する面である。図７Ｂは、ビーコン１の拡大斜視図である。図７Ａ及び図７Ｂに示すように、ノッチ５１は、第１外装部分３１と第２外装部分３２との境界部分に隣接している。図７Ｃは、ビーコン１の拡大斜視図である。図７Ｃに示すように、第１外装部分３１の側面にノッチ５１を形成し、基材２の側面に対するノッチ５１の形成を省略してもよい。
【００２３】
引き裂きが始まる条件の一例について説明する。第１外装部分３１のエネルギー解放率をＧ（Ｎ／ｍ）、第１外装部分３１の引き裂きエネルギーをＧｃ（Ｎ／ｍ）、第１外装部分３１の厚みをｔ（ｍ）、第１外装部分３１に加わる外力をＦ（Ｎ）とすると、エネルギー解放率は、Ｇ＝２Ｆ／ｔである。エネルギー解放率が引き裂きエネルギーを越えると、
引き裂きが始まるため、Ｇｃ＜Ｇ  ＝  Ｇｃ＜２Ｆ／ｔ  ＝  ｔ＜２Ｆ／Ｇｃとなれば、応力が集中する箇所から引き裂きが始まる。Ｇｃは、材料により決まる特性値である。
【００２４】
固定部材１１の固定力が第１外装部分３１に加わる外力Ｆより大きい場合、第１外装部分３１に−Ｙ方向の外力Ｆが加わると、第１外装部分３１と第２外装部分３２との境界部分から引き裂きが始まる。ビーコン１がノッチ５１を有する場合、ノッチ５１の先端から引き裂きが始まる。固定部材１１として接着剤を用いる場合、固定部材１１の固定力は、接着剤の接着力（接着強度）である。固定部材１１として粘着剤を用いる場合、固定部材１１の固定力は、粘着剤の粘着力（粘着強度）である。
【００２５】
図８は、ビーコン１の斜視図である。図８は、第１外装部分３１に＋Ｘ方向の外力Ｆが加わり、第２外装部分３２に−Ｘ方向の外力Ｆが加わった場合のビーコン１の状態が示されている。図８に示す例では、＋Ｘ方向及び−Ｘ方向は、ビーコン１の長手方向である。第１外装部分３１と第２外装部分３２との境界部分に段差が形成されている。そのため、第１外装部分３１に＋Ｘ方向の外力が加わり、第２外装部分３２に−Ｘ方向の外力が加わった場合、外装材６の凹部４１に引張応力が集中すると共に、ノッチ５１の先端に応力が集中する。その結果、ノッチ５１の先端から引き裂きが始まり、ビーコン１が破壊される。
【００２６】
第１外装部分３１に＋Ｘ方向の外力が加わった場合又は第２外装部分３２に−Ｘ方向の外力が加わった場合についても、ノッチ５１の先端から引き裂きが始まり、ビーコン１が破壊される。また、ビーコン１がノッチ５１を有しない場合も、外装材６の凹部４１を起点として、第１外装部分３１と第２外装部分３２との境界部分から引き裂きが始まり、ビーコン１が破壊される。ビーコン１がノッチ５１を有する場合、ノッチ５１の先端に引張応力が集中するため、ビーコン１がより破壊され易い。
【００２７】
図９は、外装部６の伸び量の説明図である。図９の（１）には、外装部６が第１外装部分３１及び第２外装部分３２を有する場合について、第１外装部分３１の伸び量及び第２外装部分３２の伸び量が示されている。すなわち、図９の（１）には、段差を有する外装部６の伸び量が示されている。第２外装部分３２の厚さは、第１外装部分３１の厚さよりも厚い。図９の（１）は、外装部６に＋Ｘ方向及び−Ｘ方向の外力Ｆが加わった場合の外装部６の状態が示されている。図９の（２）には、外装部６Ａが同一の厚みの外装部分６１，６２を有する場合について、外装部分６１の伸び量及び外装部分６２の伸び量が示されている。すなわち、図９の（２）には、段差を有しない外装部６Ａの伸び量が示されている。図９の（２）は、外装部６Ａに＋Ｘ方向及び−Ｘ方向の外力Ｆが加わった場合の外装部６Ａの状態が示されている。
【００２８】
外装部６の伸び量と外装部６Ａの伸び量とが同一となるように、外装部６，６Ａに外力Ｆを加えると、第１外装部分３１の伸び量＞第２外装部分３２の伸び量となり、外装部分６１の伸び量＜外装部分６２の伸び量となる。このように、段差を有する外装部６の第１外装部分３１の伸び量は、段差を有しない外装部６Ａの外装部分６１の伸び量よりも大きい。第１外装部分３１の伸び量が大きいほど、引張応力が大きいため、第１外装部分３１にノッチ５１を形成することが好ましい。
【００２９】
第１外装部分３１にノッチ５１を形成した場合における引き裂きが始まる条件の一例について説明する。第１外装部分３１のエネルギー解放率をＧ（Ｎ／ｍ）、第１外装部分３１の引き裂きエネルギーをＧｃ（Ｎ／ｍ）、ノッチ５１の深さをｃ（ｍ）、ひずみエネルギーをＷ、数値定数（伸長比の関数）をｋとすると、エネルギー解放率は、Ｇ＝２ｋｃＷである。エネルギー解放率が引き裂きエネルギーを越えると、引き裂きが始まるため、Ｇｃ＜Ｇ  ＝  Ｇｃ＜２ｋｃＷ  ＝  ｃ＞Ｇｃ／２ｋＷとなれば、ノッチ５１の先端から引
き裂きが始まる。
【００３０】
図１０Ａは、ビーコン１の斜視図である。図１０Ｂは、ビーコン１の斜視図であって、基材２の下面側から見た状態が示されている。図１０Ａ及び図１０Ｂに示すように、ビーコン１は、溝５２を有する。溝５２は、第１溝の一例である。溝５２は、基材２の下面に形成されている。溝５２は、基材２の下面側からの平面視で、基材２の一方の側面から他方の側面まで直線的に伸びている。第１外装部分３１と第２外装部分３２との境界部分の少なくとも一部が、溝５２の少なくとも一部と平面視で重なっている。
【００３１】
図１０Ａは、第１外装部分３１に＋Ｚ方向の外力Ｆが加わった場合のビーコン１の状態が示されている。図１０Ａに示す例では、＋Ｚ方向は、ビーコン１の長手方向と直交する方向であって、基材２の上面が向いている方向である。第１外装部分３１と第２外装部分３２との境界部分に段差が形成されている。そのため、第１外装部分３１に＋Ｚ方向の外力Ｆが加わった場合、第１外装部分３１と第２外装部分３２との境界部分でビーコン１が＋Ｚ方向に折れ曲がる。ビーコン１が＋Ｚ方向に折れ曲がることにより、基材２に引張応力が発生し、溝５２に応力が集中する。その結果、溝５２から引き裂きが始まり、ビーコン１が破壊される。また、第２外装部分３２に＋Ｚ方向の外力が加わった場合についても、溝５２から引き裂きが始まり、ビーコン１が破壊される。
【００３２】
〈第２実施形態〉
第２実施形態について説明する。図１１Ａは、ビーコン１の平面図である。図１１Ｂは、ビーコン１の断面図であり、図１１Ａの一点鎖線Ｃ−Ｃに沿った断面を示している。図１１Ａ及び図１１Ｂに示すビーコン１の外装材６は、第１外装部分３１、第２外装部分３２及び第３外装部分３３を含む。第１外装部分３１の厚さと第２外装部分３２の厚さとが異なっており、第２外装部分３２の厚さは、第１外装部分３１の厚さよりも厚い。そのため、第１外装部分３１と第２外装部分３２との境界部分に段差が形成されている。第２外装部分３２の厚さと第３外装部分３３の厚さとが異なっており、第２外装部分３２の厚さは、第３外装部分３３の厚さよりも厚い。そのため、第２外装部分３２と第３外装部分３３との境界部分に段差が形成されている。
【００３３】
第１外装部分３１及び第３外装部分３３の剛性が相対的に小さいので、第１外装部分３１及び第３外装部分３３は、第２外装部分３２よりも変形しやすい。第２外装部分３２の剛性が相対的に大きいので、第２外装部分３２は、第１外装部分３１及び第３外装部分３３よりも変形しにくい。第１外装部分３１の厚さと第３外装部分３３の厚さとが異なっていてもよいし、第１外装部分３１の厚さと第３外装部分３３の厚さとが同一であってもよい。
【００３４】
第１外装部分３１と第２外装部分３２との境界部分に段差が形成されている。例えば、第１外装部分３１に−Ｚ方向の外力Ｆが加わった場合、第１外装部分３１と第２外装部分３２との境界部分でビーコン１が折れ曲がる。これにより、外装材６に引張応力が発生し、外装材６の凹部４１に応力が集中する。その結果、外装材６の凹部４１を起点として、第１外装部分３１と第２外装部分３２との境界部分から引き裂きが始まり、ビーコン１が破壊される。例えば、第３外装部分３３に−Ｚ方向の外力Ｆが加わった場合、第２外装部分３２と第３外装部分３３との境界部分でビーコン１が折れ曲がる。これにより、外装材６に引張応力が発生し、外装材６の凹部４２に応力が集中する。その結果、外装材６の凹部４２を起点として、第２外装部分３２と第３外装部分３３との境界部分から引き裂きが始まり、ビーコン１が破壊される。図１１Ａ及び図１１Ｂに示すビーコン１は複数の段差を有するため、応力が集中する箇所が増加し、ビーコン１の破壊の確実性が向上する。
【００３５】
〈第３実施形態〉
第３実施形態について説明する。図１２Ａは、ビーコン１の平面図である。図１２Ｂは、ビーコン１の断面図であり、図１２Ａの一点鎖線Ｄ−Ｄに沿った断面を示している。図１２Ｃは、ビーコン１の断面図であり、図１２Ａの一点鎖線Ｅ−Ｅに沿った断面を示している。図１２Ａ〜図１２Ｃに示すビーコン１の外装材６は、第１外装部分３１及び第２外装部分３２を含む。第１外装部分３１の厚さと第２外装部分３２の厚さとが異なっており、第２外装部分３２の厚さは、第１外装部分３１の厚さよりも厚い。そのため、第１外装部分３１と第２外装部分３２との境界部分に段差が形成されている。第１外装部分３１の剛性が相対的に小さいので、第１外装部分３１は、第２外装部分３２よりも変形しやすい。第２外装部分３２の剛性が相対的に大きいので、第２外装部分３２は、第１外装部分３１よりも変形しにくい。
【００３６】
第１外装部分３１が、平面視で基材２の外周部分を覆い、第２外装部分３２が、平面視で基材２の外周部分よりも内側の部分を覆っている。すなわち、第２外装部分３２が、平面視で第１外装部分３１によって囲まれている。したがって、図１２Ａ〜図１２Ｃに示すビーコン１は、段差が矩形状又は環状に配置されるため、応力が集中する箇所が増加し、ビーコン１の破壊の確実性が向上する。
【００３７】
〈第４実施形態〉
第４実施形態について説明する。図１３Ａは、ビーコン１の平面図である。図１３Ｂは、ビーコン１の断面図であり、図１３Ａの一点鎖線Ｆ−Ｆに沿った断面を示している。図１３Ａ及び図１３Ｂに示すビーコン１の外装材６は、第１外装部分３１、第２外装部分３２及び第４外装部分３４を含む。第１外装部分３１の厚さと第２外装部分３２の厚さとが異なっており、第１外装部分３１の厚さは、第２外装部分３２の厚さよりも厚い。そのため、第１外装部分３１と第２外装部分３２との境界部分に段差が形成されている。第２外装部分３２の厚さと第４外装部分３４の厚さとが異なっており、第４外装部分３４の厚さは、第２外装部分３２の厚さよりも厚い。そのため、第２外装部分３２と第４外装部分３４との境界部分に段差が形成されている。
【００３８】
第２外装部分３２の剛性が相対的に小さいので、第２外装部分３２は、第１外装部分３１及び第４外装部分３４よりも変形しやすい。第１外装部分３１及び第４外装部分３４の剛性が相対的に大きいので、第１外装部分３１及び第４外装部分３４は、第２外装部分３２よりも変形しにくい。第１外装部分３１の厚さと第４外装部分３４の厚さとが異なっていてもよいし、第１外装部分３１の厚さと第４外装部分３４の厚さとが同一であってもよい。
【００３９】
第１外装部分３１と第２外装部分３２との境界部分に段差が形成されている。例えば、第１外装部分３１に−Ｚ方向の外力Ｆが加わった場合、第１外装部分３１と第２外装部分３２との境界部分でビーコン１が折れ曲がる。これにより、外装材６に引張応力が発生し、外装材６の凹部４１に応力が集中する。その結果、外装材６の凹部４１を起点として、第１外装部分３１と第２外装部分３２との境界部分から引き裂きが始まり、ビーコン１が破壊される。
【００４０】
第２外装部分３２と第４外装部分３４との境界部分に段差が形成されている。例えば、第４外装部分３４に−Ｚ方向の外力Ｆが加わった場合、第２外装部分３２と第４外装部分３４との境界部分でビーコン１が折れ曲がる。これにより、外装材６に引張応力が発生し、外装材６の凹部４３に応力が集中する。その結果、外装材６の凹部４３を起点として、第２外装部分３２と第４外装部分３４との境界部分から引き裂きが始まり、ビーコン１が破壊される。図１３Ａ及び図１３Ｂに示すビーコン１は複数の段差を有するため、応力が集中する箇所が増加し、ビーコン１の破壊の確実性が向上する。
【００４１】
〈第５実施形態〉
第５実施形態について説明する。図１４Ａは、ビーコン１の平面図である。図１４Ｂは、ビーコン１の側面図である。ビーコン１は、一つ又は複数のノッチ（スリット）５３を有する。ノッチ５３は、Ｖ字形、Ｕ字形等の切欠きである。ノッチ５３は、第２ノッチの一例である。ノッチ５３は、第２外装部分３２の側面に形成されていると共に、基材２の側面に形成されている。第２外装部分３２の側面は、第２外装部分３２の下面と直交する面である。第２外装部分３２の下面は、基材２の上面と接触している。第２外装部分３２が、平面視で略四角形であり、略四角形の少なくとも一辺の中点をノッチ５３が通るように、第２外装部分３２及び基材２にノッチ５３が形成されている。例えば、第２外装部分３２に＋Ｚ方向又は−Ｚ方向の外力Ｆが加わった場合、ノッチ５３の先端に応力が集中する。その結果、ノッチ５３の先端から引き裂きが始まり、ビーコン１が破壊される。
【００４２】
図１５Ａは、ビーコン１の平面図である。図１５Ｂは、ビーコン１の側面図である。ビーコン１は、一つ又は複数の溝５４を有する。溝５４は、第２溝の一例である。ビーコン１は、一つ又は複数の溝５５を有する。図１５Ａ及び図１５Ｂに示す例では、第２外装部分３２の上面に溝５４が形成され、基材２の下面に溝５５が形成されている。第２外装部分３２の上面は、第２外装部分３２の下面の反対側の面である。第２外装部分３２が、平面視で略四角形であり、略四角形の少なくとも一組の対辺の中点どうしを結ぶように溝５４が形成されている。基材２が、平面視で略四角形であり、四角形の少なくとも一組の対辺の中点どうしを結ぶように溝５５が形成されている。図１５Ａ及び図１５Ｂに示す例では、溝５５は、平面視で溝５４と重なっている。
【００４３】
例えば、第２外装部分３２に−Ｚ方向の外力Ｆが加わった場合、第２外装部分３２に引張応力が発生し、溝５４に応力が集中する。その結果、溝５４から引き裂きが始まり、ビーコン１が破壊される。例えば、第２外装部分３２に＋Ｚ方向の外力Ｆが加わった場合、基材２に引張応力が発生し、溝５５に応力が集中する。その結果、溝５５から引き裂きが始まり、ビーコン１が破壊される。
【００４４】
第２外装部分３２が、平面視で略四角形であり、略四角形の一方の組の対辺の中点どうしを結ぶように一方の溝５４が形成され、略四角形の他方の組の対辺の中点どうしを結ぶように他方の溝５４が形成されてもよい。基材２が、平面視で略四角形であり、略四角形の一方の対辺の中点どうしを結ぶように一方の溝５５が形成され、略四角形の他方の対辺の中点どうしを結ぶように他方の溝５５が形成されてもよい。
【００４５】
図１６は、材料７１にかかる応力の説明図である。図１６に示すように、材料７１に曲げモーメントがかかる場合、材料７１の曲げの内側で圧縮応力がかかり、材料７１の曲げの外側で引張応力がかかる。厚みが異なる複数の材料７１の形状が同じように変形する場合、材料７１の厚みが大きい程、引張応力が大きくなり、材料７１の中央において引張応力が最大になる。したがって、第２外装部分３２の中央にノッチ５３や溝５４を形成することが好ましい。
【００４６】
第１〜第５実施形態によれば、第１外装部分３１と第２外装部分３２との境界部分に段差が形成されているため、ビーコン１の変形箇所が限定されると共に、ビーコン１の所定部分に応力が集中することにより、ビーコン１の破壊が容易となる。したがって、ビーコン１が設置位置から取り外された際に、ビーコン１が破壊され易くなり、その結果、ビーコン１の盗難や設置位置の変更が抑制される。
【００４７】
第１〜第５実施形態において、電子部品３の搭載位置と電子部品４の搭載位置とを入れ替えてもよい。これらの場合、電子部品３が、第２部品の一例であり、電子部品４が、第１部品の一例である。第１〜第５実施形態では、ビーコン１について説明したが、第１〜
第５実施形態は、ＲＦＩＤ（Radio Frequency IDentification）タグや他の通信装置等の電子機器に適用することができる。また、以上の各実施形態を組み合わせてもよい。例えば、第２〜第５実施形態に係るビーコン１が、一つ又は複数のノッチ５１を有してもよい。例えば、第２〜第５実施形態に係るビーコン１が、溝５２を有してもよい。
【００４８】
以上の各実施形態に関し、更に以下の付記を示す。
（付記１）
第１部品と第２部品とが離れた状態で搭載された基材であって、前記第１部品と前記第２部品とを電気配線で結ぶ配線部を有する基材と、
前記第１部品、前記第２部品及び前記配線部を覆う外装部と、
を備え、
前記外装部は、前記第１部品の少なくとも一部を覆う第１外装部分と、前記配線部の少なくとも一部を覆う第２外装部分とを含み、
前記第１外装部分の厚さと前記第２外装部分の厚さとが異なり、
前記第１外装部分と前記第２外装部分との境界部分に段差が形成されていることを特徴とする電子機器。
（付記２）
前記第１外装部分の側面に、前記第１外装部分と前記第２外装部分との境界部分に隣接する第１ノッチが形成されていることを特徴とする付記１に記載の電子機器。
（付記３）
前記基材は、前記第１部品及び前記第２部品が搭載された第１面と、前記第１面の反対側の第２面とを有し、
前記第２面に第１溝が形成され、
前記第１外装部分と前記第２外装部分との境界部分の少なくとも一部が、前記第１溝の少なくとも一部と平面視で重なることを特徴とする付記１又は２に記載の電子機器。
（付記４）
前記第２外装部分の厚さが前記第１外装部分の厚さよりも厚く、
前記第２外装部分が平面視で四角形であり、四角形の少なくとも一辺の中点を通るように第２ノッチが前記第２外装部分の側面に形成されていることを特徴とする付記１から３の何れか一つに記載の電子機器。
（付記５）
前記第２外装部分の厚さが前記第１外装部分の厚さよりも厚く、
前記第２外装部分が平面視で四角形であり、四角形の少なくとも一組の対辺の中点どうしを結ぶように第２溝が前記第２外装部分に形成されていることを特徴とする付記１から４の何れか一つに記載の電子機器。
（付記６）
前記外装部は、前記第２部品の一部を覆う第３外装部分を更に含み、
前記第２外装部分の厚さと前記第３外装部分の厚さとが異なり、
前記第２外装部分と前記第３外装部分との境界部分に段差が形成されていることを特徴とする付記１から５の何れか一つに記載の電子機器。
（付記７）
前記第１外装部分が、平面視で前記基材の外周部分を覆い、
前記第２外装部分が、平面視で前記基材の前記外周部分よりも内側の部分を覆うことを特徴とする付記１から５の何れか一つに記載の電子機器。
（付記８）
前記外装部は、前記第２部品の少なくとも一部及び前記配線部の一部を覆う第４外装部分を更に含み、
前記第２外装部分の厚さと前記第４外装部分の厚さとが異なり、
前記第２外装部分と前記第４外装部分との境界部分に段差が形成されていることを特徴とする付記１から５の何れか一つに記載の電子機器。
（付記９）
前記第１外装部分は、前記第１部品の少なくとも一部を覆うと共に前記配線部の第１部分を覆い、
前記第２外装部分は、前記第２部品の少なくとも一部を覆うと共に前記配線部の第２部分を覆い、
前記第１外装部分と前記第２外装部分との境界部分が、前記配線部の一部と平面視で重なることを特徴とする付記１から８の何れか一つに記載の電子機器。
（付記１０）
前記第２外装部分の厚さが前記第１外装部分の厚さよりも厚く、
前記第１外装部分の厚さｔ、前記第１外装部分に加わる外力Ｆ及び第１外装部分の引き裂きエネルギーＧｃが、ｔ＜２Ｆ／Ｇｃを満たし、
前記基材及び前記外装部の少なくとも一方を固定する固定力が外力Ｆ以上であることを特徴とする付記１から９の何れか一つに記載の電子機器。
（付記１１）
前記基材及び前記外装部の各材料がエラストマであることを特徴とする付記１から１０の何れか一つに記載の電子機器。
（付記１２）
前記第１部品は、前記第２部品に電力を供給する太陽電池であることを特徴とする付記１から１１の何れか一つに記載の電子機器。
（付記１３）
第１部品と第２部品とが離れた状態で搭載された基材であって、前記第１部品と前記第２部品とを電気配線で結ぶ配線部を有する基材と、
前記第１部品、前記第２部品及び前記配線部を覆う外装部と、
を備え、
前記外装部は、前記第１部品の少なくとも一部を覆う第１外装部分と、前記配線部の少なくとも一部を覆う第２外装部分とを含み、
前記第１外装部分の厚さと前記第２外装部分の厚さとが異なり、
前記第１外装部分と前記第２外装部分との境界部分に段差が形成されていることを特徴とするビーコン。
【符号の説明】
【００４９】
１    ビーコン
２    基材
３    電子部品
４    電子部品
５    配線部
６    外装材
１１  固定部材
３１  第１外装部分
３２  第２外装部分
３３  第３外装部分
３４  第４外装部分
４１、４２、４３  凹部
５１、５３  ノッチ
５２、５４、５５  溝
【図１Ａ】
0006673022.tif 000002
【図１Ｂ】
0006673022.tif 000003
【図１Ｃ】
0006673022.tif 000004
【図２Ａ】
0006673022.tif 000005
【図２Ｂ】
0006673022.tif 000006
【図２Ｃ】
0006673022.tif 000007
【図３Ａ】
0006673022.tif 000008
【図３Ｂ】
0006673022.tif 000009
【図４Ａ】
0006673022.tif 000010
【図４Ｂ】
0006673022.tif 000011
【図５】
0006673022.tif 000012
【図６Ａ】
0006673022.tif 000013
【図６Ｂ】
0006673022.tif 000014
【図７Ａ】
0006673022.tif 000015
【図７Ｂ】
0006673022.tif 000016
【図７Ｃ】
0006673022.tif 000017
【図８】
0006673022.tif 000018
【図９】
0006673022.tif 000019
【図１０Ａ】
0006673022.tif 000020
【図１０Ｂ】
0006673022.tif 000021
【図１１Ａ】
0006673022.tif 000022
【図１１Ｂ】
0006673022.tif 000023
【図１２Ａ】
0006673022.tif 000024
【図１２Ｂ】
0006673022.tif 000025
【図１２Ｃ】
0006673022.tif 000026
【図１３Ａ】
0006673022.tif 000027
【図１３Ｂ】
0006673022.tif 000028
【図１４Ａ】
0006673022.tif 000029
【図１４Ｂ】
0006673022.tif 000030
【図１５Ａ】
0006673022.tif 000031
【図１５Ｂ】
0006673022.tif 000032
【図１６】
0006673022.tif 000033